(57)【要約】【課題】  遊技店舗内の椅子背面に、宣伝・販売促進効果を狙った装飾体を着脱自在に取り付け得る背凭れ用装飾具を提供する。【解決手段】    椅子背凭れの横幅に締着される伸縮帯地４が介在された枠帯３と、該枠帯３に直交する背凭れの上部に掛け渡される係止帯５が枠帯３の片面に一体に固着されて無端枠帯３ａを形成すると共に、該無端枠帯３ａの片面に係止具６を取付けた逆Ｔ字型の支持体２と、該支持体２の係止具６に係合する係止具８を備えた装飾体７とからなる。前記係止具６、８はスナップボタン、又は面ファスナーで構成される。【選択図】  図１
0003154083.tif 000002
【実用新案登録請求の範囲】
【請求項１】
椅子背凭れの横幅に締着される伸縮帯地４が介在された枠帯３と、該枠帯３に直交する背凭れの上部に掛け渡される係止帯５が枠帯３の片面３ｂに一体に固着されて無端枠帯３ａを形成すると共に該無端枠帯３ａの片面に係止具６を取付けた逆Ｔ字型の支持体２と、該支持体２の係止具６に係合する係止具８を備えた装飾体７とからなる椅子背凭れ用装飾具。
【請求項２】
前記装飾体７は、複数個の係止具８を内側に取付けた任意の形状の装飾体である請求項１に記載の椅子背凭れ用装飾具。
【請求項３】
前記無端枠帯３の片側に取付けた係止具６とこれに係合する装飾体７に取付けられた係止具８は、夫々雌雄のスナップボタンである請求項１に記載の椅子背凭れ用装飾具。
【請求項４】
前記無端枠帯３の片側に取付けた係止具６とこれに係合する装飾体７に取付けられた係止具８は、夫々雌雄の面ファスナーである請求項１に記載の椅子背凭れ用装飾具。
【考案の詳細な説明】
【技術分野】
【０００１】
本考案は、主に遊技店等の椅子の背凭れに自在に取付けられる宣伝及び販売促進効果を狙った椅子背凭れ用装飾具に関する。
【背景技術】
【０００２】
パチンコ店やスロット店等の遊技店の椅子の背凭れには販売促進の目的から、顧客の視覚的効果を狙った装飾がなされるのが通常である。特に、背凭れに客寄せ用の告知物を収納したカバーを被せ顧客の注目を惹かせるようにした装飾カバーや、カバー自体を発光させたり電飾的表示がなされるようにしたものが見られる。例えば、特開２００６−１３６５９３号公報のような遊技場用椅子カバーが提案されている。
【先行技術文献】
【特許文献】
【０００３】
【特許文献１】特開２００６−１３６５９３号公報
【考案の概要】
【考案が解決しようとする課題】
【０００４】
しかしながら、遊技店に設置された椅子の形状は遊技機器メーカーによって夫々異なり、統一した規格はない為、椅子の背凭れに装飾体を取付けたカバーを取付ける場合には、夫々椅子の形状に合わせた着脱自在なカバーとせざるを得ない。
また、最近では遊技店舗内がゆとりを持った配置とした店が増え、「島」と呼ばれる遊技台列間の通路に余裕があり、椅子の背凭れ背面は格好の販促宣伝媒体となっている。
【０００５】
本考案は、このような課題を考慮してなされたものであり、遊技店の椅子の背凭れを有効的に使用して顧客の注目を惹きつける宣伝・販促効果を狙った装飾体を、椅子の背面部に着脱自在に、しかも椅子の形状・大きさ等に影響されずに取り付けることが出来る背凭れ用装飾具を提供すること、また、取付られる装飾体を着脱、交換自在とした背凭れ用装飾具を提供することを目的とする。
【課題を解決するための手段】
【０００６】
上記目的を達成するため、請求項１記載の背凭れ用装飾具は、椅子背凭れの横幅に締着される伸縮帯地が介在された枠帯と、該枠帯に直交する背凭れの上部に掛け渡される係止帯が前記枠帯の片面に一体に固着されて無端枠帯を形成すると共に、該無端枠帯の片面に係止具を取付けて形成した逆Ｔ字型の支持体と、該支持体の係止具に係合する係止具を備え前記支持体に着脱自在に装着し得る装飾体で構成されている。
【０００７】
請求項２記載の背凭れ用装飾体は、請求項１に記載の背凭れ用装飾体であって、装飾体は、複数個の係止具を内側に取付けた任意の形状の取付け自在の装飾体で構成されている。
【０００８】
請求項３記載の背凭れ用装飾体は、請求項１に記載の背凭れ用装飾体であって、無端枠帯の片面に取付けた係止具とこれに係合する装飾体に取付けられた係止具は、夫々雌雄のスナップボタンで構成されている。
【０００９】
請求項４記載の背凭れ用装飾体は、請求項１に記載の背凭れ用装飾体であって、無端枠帯の片側に取付けた係止具とこれに係合する装飾体に取付けられた係止具は、夫々雌雄の面ファスナーで構成されている。
【考案の効果】
【００１０】
本考案によれば、椅子の形状や大きさに拘束されることなく背凭れに支持体を自在に取付けられ、該支持体に適宜の装飾体を係止具にて着脱自在に取付けが可能となり、遊技店舗内での宣伝・販促効果を一層高めることができる。
【図面の簡単な説明】
【００１１】
【図１】本考案の実施例を示す椅子背凭れに締着される支持体と装飾体の説明図である。
【図２】本考案の背凭れ用装飾具の一例を示す斜視図である。
【図３】椅子に背凭れ用装飾具を取付けた状態の斜視図である。
【図４Ａ】装飾体のその他の例を示す斜視図である。
【図４Ｂ】装飾体のその他の例を示す斜視図である。
【図４Ｃ】装飾体のその他の例を示す斜視図である。
【考案を実施するための形態】
【００１２】
以下、本考案を図示する実施形態により具体的に説明する。図１は、本考案の一実施形態の全体構成を示しており、背凭れ用装飾具１は椅子Ａの背凭れＢに締着される逆Ｔ字型の支持体２と、該支持体２に適宜係止具で着脱自在に取付けられる装飾体７から構成される。
【００１３】
逆Ｔ字型の支持体２は、椅子Ａの背凭れＢの横幅に締着される伸縮帯地４が一部に介在された枠帯３と、該枠帯３に直交する背凭れＢの上部ｂに掛け渡される幅広の係止帯５が枠帯３に一体に固着されて無端枠帯３ａを構成し、全体として逆Ｔ字状を呈する支持体２を構成する。
【００１４】
枠帯３は透明な薄地のプラスチックシートからなり、背凭れＢの上部ｂに掛け渡される係止帯５の一端が枠帯３と一体に形成され、係止帯５の他端は枠帯３の片面３ｂの伸縮帯地４に縫着されて無端枠帯３ａとしている。また、係止帯５は背凭れに掛け渡されたときの安定性を維持する為、枠帯３よりも幅広に形成されている。
【００１５】
また、該支持体２の無端枠帯３ａの片面３ｂには後述する装飾体７を着脱自在に装着する雄のスナップボタンからなる係止具６が複数設けられる。更に、装飾体７の内側７ａにはこれを支持体２に取付けるための雌のスナップボタンからなる係止具８が、前記支持体２の係止具６に対応する箇所に複数個取付けられている。尚、装飾体７は結びリボン形状の装飾体を一例として示している。
【００１６】
また、支持体２の枠帯３には背凭れＢに対する幅方向の締着を強固にする為、また、椅子の形状・大きさに自在に対応する為、伸縮自在のゴム交織物からなる伸縮帯地４が係止帯５を挟んで左右両側に縫着等されて固着されている。
【００１７】
係止具６、８は、複数配置することが保持の安定を図る上で好ましいが、装飾体７の形状、大きさ又は重量によっては１個毎の１対であっても良い。また、係止具６、８を夫々雌雄のスナップボタンの例で説明したが、支持体２と装飾体７の係止手段として保持機能があれば係止具６、８は夫々雌雄の面ファスナーであっても良く、装飾体７との組み合わせで任意に選定することが出来る。
【００１８】
装飾体７は図示の例では結びリボン状の装飾体を示すが、装飾体の形状には拘束されることはない。例えば、図４Ａ、図４Ｂ、図４Ｃに一例を示すように、任意の形状、構成の装飾体７とすることが出来る。
【００１９】
次に本考案の作用を説明する。図１に分解して示すように、逆Ｔ字型の支持体２の枠帯３の片面３ｂに設けた複数の係止具６に、装飾体７の内側７ａに取付けた複数の係止具８を掛け止めて背凭れ用装飾具１を構成し、該背凭れ用装飾具１を、遊技店の椅子Ａの背凭れＢに逆Ｔ字型の支持具２を枠帯３を広げながら介装し、該枠帯３に直交して固着された係止帯５を背凭れ上部ｂに跨ぎ状に掛け渡して背凭れＢの背面側Ｃに装飾体６が負ぶさるように固定される。
【００２０】
枠帯３は無端状に形成されており、その一部に介在された伸縮帯地４を伸ばし広げることで背凭れＢの横幅、厚みに係わらずに装着可能で、装着後は伸縮帯地４の締付けで背凭れＢにしっかり締着され、装飾体７を取付けても容易にずれ動くことがない。
【００２１】
装飾体７を異なる形状・デザインのものに変更する場合は、背凭れＢに締着した逆Ｔ字型の支持具２の係止具６と、掛け止めされていた装飾体７の係止具８を解き外し、装飾体７を取り外し、新たに取付けるべき装飾体７を係止具６、８にて締着して取付ける。
【産業上の利用可能性】
【００２２】
本考案の、背凭れ用装飾具は遊技店の椅子以外でも対応でき、店舗を問わず、各種イベント等で使用される椅子に取付けることも可能で、取付けの自由度があり広く活用することができる。
【符号の説明】
【００２３】
１    背凭れ用装飾具
２    逆Ｔ字型の支持体
３    枠帯
３ａ  無端枠帯
３ｂ  片面
４    伸縮帯地
５    係止帯
６、８  係止具    
７    装飾体
Ｂ    背凭れ
ｂ    背凭れ上部
【図１】
0003154083.tif 000003
【図２】
0003154083.tif 000004
【図３】
0003154083.tif 000005
【図４Ａ】
0003154083.tif 000006
【図４Ｂ】
0003154083.tif 000007
【図４Ｃ】
0003154083.tif 000008
【手続補正書】
【提出日】平成21年7月23日(2009.7.23)
【手続補正１】
【補正対象書類名】実用新案登録請求の範囲
【補正対象項目名】請求項３
【補正方法】変更
【補正の内容】
【請求項３】
前記無端枠帯３ａの片側に取付けた係止具６とこれに係合する装飾体７に取付けられた係止具８は、夫々雌雄のスナップボタンである請求項１に記載の椅子背凭れ用装飾具。
【手続補正２】
【補正対象書類名】実用新案登録請求の範囲
【補正対象項目名】請求項４
【補正方法】変更
【補正の内容】
【請求項４】
前記無端枠帯３ａの片側に取付けた係止具６とこれに係合する装飾体７に取付けられた係止具８は、夫々雌雄の面ファスナーである請求項１に記載の椅子背凭れ用装飾具。